(57)【要約】      （修正有）【課題】充填ユニットのオプションを分析して、迅速に答えを得ることができる英語テスト装置構造を提供する。【解決手段】少なくとも、主語ユニットと述語ユニット及び充填ユニットを有し、上記充填ユニットが、主語ユニットや述語ユニットの一部である英文語モジュールと、電子設備の処理ユニットに接続され、表示ユニットによって表示され、少なくとも、四つのオプション領域があり、その一つのオプション領域を選択して、上記充填ユニットに入れ込むことができる選択ユニットと、電子設備の処理ユニットに接続され、表示ユニットによって表示され、上記充填ユニットの位置に応じて分析し、充填ユニットの品詞を決定し、また、品詞により、選択ユニットから品詞に応じていない二つのオプション領域を削除し、また、英文語モジュールの語義に応じて、選択ユニットのもう一つのオプション領域を削除し、その中の最も正確のオプション領域を選別できる第一主文型分析モジュールとが備えられる。【選択図】図１
0003169029.tif 000002
【実用新案登録請求の範囲】
【請求項１】
処理ユニットと処理ユニットに接続される表示ユニットを有する電子設備と、
電子設備の処理ユニットに接続され、表示ユニットによって表示され、少なくとも、主語ユニットと述語ユニット及び充填ユニットを有し、上記充填ユニットが、主語ユニットや述語ユニットの一部である英文語モジュールと、
電子設備の処理ユニットに接続され、表示ユニットによって表示され、少なくとも、四つのオプション領域があり、その一つのオプション領域を選択して、上記充填ユニットに入れ込むことができる選択ユニットと、
電子設備の処理ユニットに接続され、表示ユニットによって表示され、上記充填ユニットの位置に応じて分析し、充填ユニットの品詞を決定し、また、品詞により、選択ユニットから品詞に応じていない二つのオプション領域を削除し、また、英文語モジュールの語義に応じて、選択ユニットのもう一つのオプション領域を削除し、その中の最も正確のオプション領域を選別できる第一主文型分析モジュールと、が備えられる、ことを特徴とする英語テスト装置構造。
【請求項２】
上記英文語モジュールは、主要動詞によって、主語ユニットと述語ユニットに区分されることを特徴とする請求項１に記載の英語テスト装置構造。
【請求項３】
上記充填ユニットが主語ユニットに位置する場合、上記述語ユニットが削除されることを特徴とする請求項１に記載の英語テスト装置構造。
【考案の詳細な説明】
【技術分野】
【０００１】
本考案は、英語テスト装置構造に関し、特に、選択ユニットにおいて、英文語モジュールに対応して設けられた充填ユニットのオプションを分析して、快速的に答えを得るものに関する。
【背景技術】
【０００２】
情報の発達とともに、国と国の距離も、相対的に短くなり、また、世界各国も、国際化を目指するため、第二言葉を学ぶことは、必然な傾向になり、その中、英語は、国際において、幅広く適用された言語であり、例えば、商売取引や留学、旅行、そして、国内の試験には、英語も必要な科目になり、また、定期的に英語検定が行われ、受験者の英語程度を測定し、留学や国内試験或いは求職の根拠になる。
【０００３】
一般の受験者が、英語テストを受ける前に、英語を勉強するが、ある時期を経過してから、英語検定を受ける場合が多く、また、英語検定の項目が雑多であるだけでなく、その中、クローズテストが、一般の受験者にとって、迷惑なことになり、それは、答えをする時、上記英語のセンテンスの前後語義をよく理解してから、四つのオプションから一つのオプションを、答えとして選択できるためであり、そのため、暗記した単語の数が多くないと、英語センテンスの前後語義を理解できず、正しい答えを選択できなくなり、そして、時間を掛けて、答えを分析し、受験者は、試験に良い成績を得ることができない問題がある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、電子設備や英文語モジュール、選択ユニット及び第一主文型分析モジュールを利用して、選択ユニットについて分析し、選択ユニットにおいて、英文語モジュールに対応して設けられた充填ユニットのオプションを分析して、快速的に答えを得る英語テスト装置構造を提供する。
【課題を解決するための手段】
【０００６】
本考案は、上記の目的を達成するため、英語テスト装置構造であり、処理ユニットと処理ユニットに接続される表示ユニットを有する電子設備と、電子設備の処理ユニットに接続され、表示ユニットによって表示され、少なくとも、主語ユニットと述語ユニット及び充填ユニットを有し、上記充填ユニットが、主語ユニットや述語ユニットの一部である英文語モジュールと、電子設備の処理ユニットに接続され、表示ユニットによって表示され、少なくとも、四つのオプション領域があり、その一つのオプション領域を選択して、上記充填ユニットに入れ込むことができる選択ユニットと、電子設備の処理ユニットに接続され、表示ユニットによって表示され、上記充填ユニットの位置に応じて分析し、充填ユニットの品詞を決定し、また、品詞により、選択ユニットから品詞に応じていない二つのオプション領域を削除し、また、英文語モジュールの語義に応じて、選択ユニットのもう一つのオプション領域を削除し、その中の最も正確のオプション領域を選別できる第一主文型分析モジュールと、が備えられる。
【０００７】
以下、図面を参照しながら、本考案の特徴や技術内容について、詳しく説明するが、それらの図面等は、参考や説明のためであり、本考案は、それによって制限されることが無い。
【図面の簡単な説明】
【０００８】
【図１】本考案の外観概念図
【図２】本考案の基本構成概念図
【図３】本考案の第一主文型分析モジュールの第一実施例概念図
【図４】本考案の第一主文型分析モジュールの第二実施例概念図
【図５】本考案の第一主文型分析モジュールの第三実施例概念図
【図６】文型分析モジュールの生成状態概念図
【図７】本考案の第二主文型分析モジュールの第一実施例概念図
【図８】本考案の第二主文型分析モジュールの第二実施例概念図
【図９】本考案の第二主文型分析モジュールの第三実施例概念図
【図１０】本考案の第二主文型分析モジュールの第四実施例概念図
【図１１】本考案の第二主文型分析モジュールの第五実施例概念図
【図１２】本考案の第二主文型分析モジュールの第六実施例概念図
【考案を実施するための形態】
【０００９】
図１と図２は、それぞれ、本考案の基本構成概念図である。図のように、本考案は、英語テスト装置構造であり、電子設備６と英文語モジュール１、選択ユニット２及び第一主文型分析モジュール３から構成され、選択ユニット２において、英文語モジュール１に対応して設けられた充填ユニット１３のオプションを分析し、快速的に答えを得ることができる。
【００１０】
上記の電子設備６は、処理ユニット６１と、処理ユニット６１に接続される表示ユニット６２とを有する。
【００１１】
上記英文語モジュール１は、電子設備６の処理ユニット６１に接続され、表示ユニット６２によって表示され、少なくとも、主語ユニット１１と述語ユニット１２及び充填ユニット１３を有し、上記充填ユニット１３は、主語ユニット１１や述語ユニット１２の一部になる。
【００１２】
上記選択ユニット２は、電子設備６の処理ユニット６１に接続され、表示ユニット６２によって表示され、少なくとも、四つのオプション領域２１、２１a、２１b、２１cを有し、その一つのオプション領域２１を選別して対応上記充填ユニット１３に埋め込む。
【００１３】
上記第一主文型分析モジュール３は、電子設備６の処理ユニット６１に接続され、表示ユニット６２によって表示され、上記充填ユニット１３の位置を分析して、充填ユニット１３の品詞を決定し、また、品詞により、選択ユニット２において、不適合の品詞である二つのオプション領域２１a、２１bを削除し、また、英文語モジュール１の語義により、選択ユニット２において、もう一つのオプション領域２１cを削除し、これにより、正確のオプション領域２１が得られる。上記の構造により、新規の英語テスト装置構造が構成される。
【００１４】
図１〜１２は、それぞれ、本考案の基本構成概念図と本考案の第一主文型分析モジュールの第一実施例概念図、本考案の第一主文型分析モジュールの第二実施例概念図、本考案の第一主文型分析モジュールの第三実施例概念図、本考案の第二主文型分析モジュールの生成状態概念図、本考案の第二主文型分析モジュールの第一実施例概念図、本考案の第二主文型分析モジュールの第二実施例概念図、本考案の第二主文型分析モジュールの第三実施例概念図、本考案の第二主文型分析モジュールの第四実施例概念図、本考案の第二主文型分析モジュールの第五実施例概念図及び本考案の第二主文型分析モジュールの第六実施例概念図である。図のように、本考案によれば、処理ユニット６１により、表示ユニット６２に合わせて、次の使用画面が表示され、主要動詞に基づいて、英文語モジュール１においての主語ユニット１１か述語ユニット１２を区分し、上記充填ユニット１３が、主語ユニット１１に位置すれば、上記述語ユニット１２を削除し、逆に、上記充填ユニット１３が、述語ユニット１２に位置すれば、上記主語ユニット１１を削除し、その後、第一主文型分析モジュール３は、上記充填ユニット１３の位置に基づいて、分析を行い、上記充填ユニット１３の品詞を決定し、上記第一主文型分析モジュール３は、品詞を分析する時、下記第一主文型分析モジュール３の各形態で、品詞分析を行う。
【００１５】
主体ユニット３１（subject, s.）と自動詞ユニット３２（intransitive verb, v.t.）及び補語ユニット３３（complement）（図２のように）の形態である。
【００１６】
主体ユニット３１とBe動詞ユニット３４（be-verb, be-v.）及び主体補語ユニット３５（subject
complement, s.c.）の形態である（図３のように）。
【００１７】
主体ユニット３１と他動詞ユニット３６（transitive
verb, v.t.）、客体ユニット３７（object, o.）及び客体補語ユニット３８（object complement, o.c.）の形態である（図４のように）。
【００１８】
また、上記第一主文型分析モジュール３は、次文型分析モジュール４と結合して、第二主文型分析モジュール５を形成してもよく、また、上記次文型分析モジュール４は、少なくとも、前置詞ユニット４１（preposition）と名詞／名詞句ユニット４２とを有する。そして、上記第二主文型分析モジュール５は、品詞分析を行う時、下記第二主文型分析モジュール５の各形態で品詞分析を行う。
【００１９】
主体ユニット３１と自動詞ユニット３２、補語ユニット３３、前置詞ユニット４１及び名詞／名詞句ユニット４２の形態である（図６のように）。
【００２０】
主体ユニット３１と自動詞ユニット３２、前置詞ユニット４１及び名詞／名詞句ユニット４２の形態である（図７のように）。
【００２１】
主体ユニット３１とBe動詞ユニット３４、主体補語ユニット３５、前置詞ユニット４１及び名詞／名詞句ユニット４２の形態である（図８のように）。
【００２２】
主体ユニット３１とBe動詞ユニット３４、前置詞ユニット４１及び名詞／名詞句ユニット４２の形態である（図９のように）。
主体ユニット３１と動詞ユニット３９、客体ユニット３７、客体補語ユニット３８、前置詞ユニット４１及び名詞／名詞句ユニット４２の形態である（図１０のように）。
【００２３】
主体ユニット３１と動詞ユニット３９、客体ユニット３７、前置詞ユニット４１及び名詞／名詞句ユニット４２の形態である（図１１のように）。
【００２４】
また、上記の主体ユニット３１と客体ユニット３７は、一般名詞（noun, n.）や名詞句（noun phrase, n.p.）或いは名詞節（noun clause）等であり、上記補語ユニット３３は、副詞（adverb, adv.）や副詞句（adverbial phrase）或いる副詞節（adverbial clause）等であり、上記他動詞ユニット３６は、さらに、使役動詞（causative verb）や感覚動詞（verb of senses）であっても良く、上記主体補語ユニット３５は、名詞や名詞句、形容詞（adjective, adj.）或いは分詞（participle, part.）の何れかの品詞であり、また、上記分詞は、現在分詞(present participle: v.-ing)や過去分詞(past
participle: v.-ed)であり、上記客体補語ユニット３８は、名詞や名詞句、形容詞、原形動詞（root
verb, v.r.）、to＋原形動詞や分詞の何れかの品詞の形態で、上記名詞句は、名詞＋名詞や名詞＋and／or／but＋名詞、形容詞＋名詞、副詞＋形容詞＋名詞或いは限定詞（determiner, det.）＋名詞であるが、上記限定詞は、形容詞でありながら、定冠詞（definite article: the）や不定冠詞（indefinite article:
a/an）である冠詞（article）や指示代名詞（demonstrative
pronoun）で、これ／これら（this/these）やあれ／あれら（that/those）、所有格（possessive）或いは数量詞（quantifier）で、基数（cardinal number）や序数（ordinal number）或いは以下の単語や熟語であるany、some、several、many、little、more、much、less、few、fewer、a lot of及plenty ofの一つであり、或いは、上記限定詞も、名詞／名詞句＋of＋名詞／名詞句の次文型構造等の何れかの品詞であってよい。
【００２５】
また、上記前置詞ユニット４１と名詞／名詞句ユニット４２の次文型分析モジュール４は、形容詞として、名詞や名詞句を修飾するか、副詞として、形容詞や副詞、動詞或いは英文語モジュール１全体を修飾することができる。
【００２６】
以上のように、上記第一主文型分析モジュール３や第二主文型分析モジュール５で分析して、充填ユニット１３の品詞を決定し、充填ユニット１３の品詞が決定された後、更に、上記品詞に基づいて、選択ユニット２においての品詞が適合しない二つのオプション領域２１a、２１bを削除して、その後、語義に基づいて、残った二つのオプション領域２１、２１cから、一つのオプション領域２１cを削除し、これにより、正確のオプション領域２１が得られる。
【００２７】
以上のように、本考案に係る英語テスト装置構造は、有効に、従来の諸欠点を解消でき、選択ユニットにおいて、英文語モジュールに対応して設けられた充填ユニットのオプションを分析し、快速的に答えを得ることができそのため、本考案は、より進歩的かつより実用的で、法に従って実用新案登録請求を出願する。
【００２８】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２９】
１    英文語モジュール
１１  主語ユニット
１２  述語ユニット
１３  充填ユニット
２    選択ユニット
２１、２１a、２１b、２１c  オプション領域
３    第一主文型分析モジュール
３１  主体ユニット
３２  自動詞ユニット
３３  補語ユニット
３４  Be動詞ユニット
３５  主体補語ユニット
３６  他動詞ユニット
３７  客体ユニット
３８  客体補語ユニット
３９  動詞ユニット
４    次文型分析モジュール
４１  前置詞ユニット
４２  名詞／名詞句ユニット
５    第二主文型分析モジュール
６    電子設備
６１  処理ユニット
６２  表示ユニット
【図１】
0003169029.tif 000003
【図２】
0003169029.tif 000004
【図３】
0003169029.tif 000005
【図４】
0003169029.tif 000006
【図５】
0003169029.tif 000007
【図６】
0003169029.tif 000008
【図７】
0003169029.tif 000009
【図８】
0003169029.tif 000010
【図９】
0003169029.tif 000011
【図１０】
0003169029.tif 000012
【図１１】
0003169029.tif 000013
【図１２】
0003169029.tif 000014